(57)【要約】      （修正有）【課題】軽トラックなど荷台の側部や後部が壁で覆われていないトラックに使用できる安価な広告手段となるトラックシートを提供する。【解決手段】トラックシート１は、略長方形のシート本体２と、シート本体２の周辺部に設けられたハトメ穴３を有し、シート本体２の裏面は積載物を押圧する押圧面であり、シート本体２の表面には広告情報を表示する広告面４が設けられている。【選択図】図１
0003170797.tif 000002
【実用新案登録請求の範囲】
【請求項１】
略長方形のシート本体と、シート本体の周辺部に設けられたハトメ穴を有し、シート本体の裏面は積載物を押圧する押圧面であり、シート本体の表面には広告情報を表示する広告面が設けられているトラックシート。
【請求項２】
インクジェットプリンタによって印刷された広告情報が広告面に表示されている請求項１に記載のトラックシート。
【考案の詳細な説明】
【技術分野】
【０００１】
この考案は、本発明は、トラックの荷台に積まれた荷物の上にかぶせられ、荷物を固定するためのトラックシートに関する。
【背景技術】
【０００２】
営業を行う者は、その使用する乗用車やトラックの車体に塗装を施し、会社名や取り扱う商品・サービスなどの広告を行うことが多い。また、特許文献１には、本体シートと透明な表面シートからなり広告を入れ替え可能に挿入できる袋状になった２つの側面シート、該２つの側面シートを繋ぎトラックの荷台に固定するために長さ調節可能な複数の上部固定具および前部固定具、および側面シートをトラックの荷台下部で固定するための下部固定具とからなるトラック荷台用広告シートが記載されている。
【先行技術文献】
【特許文献】
【０００３】
【特許文献１】特開２００６−２０１７１３
【考案の概要】
【考案が解決しようとする課題】
【０００４】
使用する自動車の車体に広告情報を表示する場合、高度な技能を有する塗装業者に依頼しなければならず、また、手間のかかる作業であり、費用が高くなる。特に、トラックの場合、荷台が箱状に覆われたのもでなければ、大きな広告を表示することはできない。側面や天井を壁で覆われた箱状のトラックは高価であり、また、荷物の積み下ろしが行いにくいので、使用できる場面が限定される。さらに、広告を変更するためには塗装をやり直さなければならず、その間、トラックを使用できず、しかも、費用がかかる。
【０００５】
特許文献１に記載のトラック荷台用広告シートでは、透明な表面シートからなる袋状の側面シートに広告を入れ替えることによって、広告を交換することができる。しかし、このトラック荷台用広告シートは大きく複雑な構造であり、高価にならざるを得ない。トラックの取り付けも、特許文献１に謳われているほど簡単とは思われない。そして、箱型のトラックでなければ適用できない。すでに荷台の側面および天井が壁で覆われた箱形のトラックの外側に取り付けるのであるから、このシートは荷物の固定や保護を行うわけではなく、単に広告として作用するのみである。
【０００６】
この考案は、軽トラックなど荷台の側部や後部が壁で覆われていないトラックに使用できる安価な広告手段を提供することを目的とする。
【課題を解決するための手段】
【０００７】
上述の課題を解決するため、この考案のトラックシートは、略長方形のシート本体と、シート本体の周辺部に設けられたハトメ穴を有し、シート本体の裏面は積載物を押圧する押圧面であり、シート本体の表面には広告情報を表示する広告面が設けられている。インクジェットプリンタによって印刷された広告情報が広告面に表示されていることが好ましい。
【考案の効果】
【０００８】
この考案のトラックシートは、通常のトラックシートと同様にトラックの荷台に取り付けるだけで、広告情報を表示することができる。箱形の構造を有しないトラックに使用することができ、しかも安価である。
【図面の簡単な説明】
【０００９】
【図１】トラックシートを示す平面図である。
【図２】トラックシートの使用状態を示す正面図である。
【図３】通信回線を用いたトラックシートの広告表示方法を示す概念図である。
【考案を実施するための形態】
【００１０】
この考案を実施するための形態について図面に基づいて説明する。図１はトラックシートを示す平面図である。トラックシート１は略長方形のシート本体２と、シート本体２の周辺部に設けられたハトメ穴３を有する。そして、シート本体２の裏面はトラックの荷台の積載物を押圧するための押圧面であり、シート本体２の表面には広告情報を表示する広告面４が設けられている。
【００１１】
トラックシート１の形状は通常のトラックシートと同じである。シート本体２の大きさは、使用するトラックの大きさに合わせて選択する。たとえば軽トラック用なら、長さ２．２ｍ、幅１．９５ｍである。
【００１２】
シート本体２の素材は、通常のトラックシートと同様に丈夫なシート材料であればよいが、表面は印刷などによって文字や図形を表示するのに適したものが好ましい。ここでは、フッ素樹脂コート加工が施されたポリエルテル帆布が使用されている。シート本体２の四隅および周辺部には、ハトメ穴が設けられており、固定用のゴムバンドを通すことができるようになっている。
【００１３】
通常のトラックシートは緑や灰色など一色であるが、この考案のトラックシート１のシート本体２の表面には広告面４が設けられている。広告情報の内容は任意であり、文字、図形、写真などを表示することができる。特に、インクジェットプリンタを使用することによって、精密な図形や写真を印刷することができ、しかも、少数でも安価に印刷することができる。
【００１４】
シート本体２の裏面は押圧面であり、後述のようにトラックの荷台に取り付けたときに、この押圧面がトラックの荷台の積載物を押圧する。したがって、特許文献１のように箱状の車体面上に取り付けられるものや、箱の形状を構成する枠材の上に幌として取り付けるようなものは、積載物に触れることがなく、固定作用を有しないのでこの考案のトラックシートには含まれない。
【００１５】
次に、このトラックシート１の使用方法について説明する。図２はトラックシートの使用状態を示す正面図である。この考案のトラックシート１は通所のトラックシートと同様にトラック１０の荷台に取り付けられる。荷台の上に荷物を積み、その上からトラックシート１をかぶせる。ここで、押圧面を下に向け、積載物の上部を押し当てる。このとき、広告面は上向きとなり、外部から見えるようになる。
【００１６】
ハトメ穴３にゴムバンド５を取り付け、トラック１０の荷台１１の外部の留め具１２などにかけて、トラックシート１を固定する。
【００１７】
こうして、トラックシート１は押圧面で積載物を押圧しながら固定するとともに、表側に表れた広告面により広告情報を外部に表示する。トラックの移動および停車中に広告が行われる。運転手や作業者はこれまでと同じ作業をするだけで、広告を行うことができる。
【００１８】
図３は通信回線を用いたトラックシートの広告表示方法を示す概念図である。この考案のトラックシートはインターネットなどの通信回線２１を介した注文販売により提供することができる。
【００１９】
このとき、トラックシート提供者は、通信回線２１によって需要者の要望する広告情報を受け付けることができる。需要者は自己の営業を示す会社名や店名、あるいは商品名・サービス名などの文字情報に加えて、ロゴや各種図形、さらには写真などを画像情報として需要者端末２２から送信することができる。
【００２０】
トラックシート提供者は提供者端末２０でこの広告情報データを受取り、このデータに基いて印刷データを作成し、インクジェットプリンタ２３によってシート本体２に印刷する。こうして、顧客ごとに個別のデザインを印刷することが簡単にできる。
【符号の説明】
【００２１】
１．トラックシート
２．シート本体
３．ハトメ穴
４．広告面
５．ゴムバンド
１０．トラック
１１．荷台
１２．留め具
２０．提供者端末
２１．通信回線
２２．需要者端末
２３．インクジェットプリンタ
【図１】
0003170797.tif 000003
【図２】
0003170797.tif 000004
【図３】
0003170797.tif 000005